(57)【要約】【課題】セットトップボックスによる機能拡張するためのカラオケ装置のメーカ名及び機種名の確認と、セットトップボックスへの登録を自動化するカラオケシステム等を提供する。【解決手段】複数種のカラオケ装置２０の機種ごとにそれぞれ異なる楽曲がカラオケ演奏される特定の選曲番号データと、複数種のカラオケ装置２０の機種と、それぞれ異なる楽曲と、を関連付けてＨＤＤへ記憶しておく。そして、カラオケ装置２０が前記特定の選曲番号データに対応してカラオケ演奏した楽曲によってカラオケ装置２０の機種を、前記特定の選曲番号子データと前記楽曲とに関連付けてＨＤＤへ記憶されているカラオケ装置２０の機種と決定する（Ｓ１２２）。そして、決定されたカラオケ装置２０の機種をＨＤＤへ記憶する（Ｓ１２４）。【選択図】図７
2007171646.tif 000002
【特許請求の範囲】
【請求項１】
外部から受信した楽曲を特定する識別子データに対応した楽曲をカラオケ演奏可能なカラオケ装置と、
前記カラオケ装置へ前記識別子データを送信し、前記カラオケ装置から前記識別子データに対応した楽曲のカラオケ演奏の音信号を入力するセットトップボックスと、
を備えるカラオケシステムであって、
前記カラオケ装置は、
前記セットトップボックスから前記識別子データを受信するカラオケ装置側受信手段と、
前記カラオケ装置側受信手段によって受信された前記識別子データに対応した楽曲のカラオケ演奏を開始する開始手段と、
前記開始手段によって開始された楽曲のカラオケ演奏の音信号をセットトップボックスへ出力する音信号出力手段と、
を備える複数種のカラオケ装置中の何れか１つの機種であり、
前記セットトップボックスは、
楽曲番号情報を受け付ける受け付け手段と、
前記受け付け手段によって受け付けられた楽曲番号データに対応した識別子データをカラオケ装置へ送信するセットトップボックス側送信手段と、
前記複数種のカラオケ装置の機種ごとにそれぞれ異なる楽曲がカラオケ演奏される特定の識別子データと、前記複数種のカラオケ装置の機種と、前記それぞれ異なる楽曲と、を関連付けて記憶する機種記憶手段と、
前記機種記憶手段に記憶されている前記それぞれ異なる楽曲に対応する音高データを含む楽曲データを記憶する楽曲データ記憶手段と、
前記音信号出力手段から出力されたカラオケ演奏の音信号を入力するセットトップボックス側入力手段と、
前記セットトップボックス側入力手段によって入力されたカラオケ演奏の音信号に基づいて音高データを抽出する音高抽出手段と、
前記カラオケ装置の機種を、前記受け付け手段によって受け付けられた前記特定の識別子データに対応した楽曲のカラオケ演奏の音高データと前記楽曲データ記憶手段から読み出された前記それぞれ異なる楽曲データの音高データとの音高差をそれぞれ算出し、算出されたそれぞれの音高差を比較して最も音高差が小さい楽曲に対応するカラオケ装置の機種と決定する決定手段と、
前記決定手段によって決定された前記カラオケ装置の機種を記憶する記憶手段と、
前記記憶手段への前記カラオケ装置の機種の記憶・読み出し制御を実行する記憶・読み出し制御手段と、
を備えことを特徴とするカラオケシステム。
【請求項２】
請求項１に記載のカラオケシステムにおいて、
さらに、リモコン端末を備え、
前記リモコン端末は、
楽曲番号情報を受け付けるリモコン側受け付け手段と、
前記リモコン側受け付け手段によって受け付けられた楽曲番号データを前記セットトップボックスへ送信するリモコン信号送信手段と、
を備え、
前記セットトップボックスは、
さらに、前記リモコン端末から楽曲番号データを受信するリモコン信号受信手段を備え、前記セットトップボックス側送信手段は、前記リモコン信号受信手段によって受信した楽曲番号データに対応した識別子データをカラオケ装置へ送信することを特徴とするカラオケシステム。
【請求項３】
請求項１または請求項２に記載のカラオケシステムに用いられるセットトップボックスであって、請求項１または請求項２においてセットトップボックスに関して記載した構成を備えることを特徴とするセットトップボックス。
【請求項４】
外部から受信した楽曲を特定する識別子データに対応した楽曲をカラオケ演奏可能なカラオケ装置と、
前記カラオケ装置へ前記識別子データを送信し、前記カラオケ装置から前記識別子データに対応した楽曲のカラオケ演奏の音信号を入力するセットトップボックスと、
を備えるカラオケシステムであって、
前記カラオケ装置は、
前記セットトップボックスから前記識別子データを受信するカラオケ装置側受信手段と、
前記カラオケ装置側受信手段によって受信された前記識別子データに対応した楽曲のカラオケ演奏を開始する開始手段と、
前記開始手段によって開始された楽曲のカラオケ演奏の音信号をセットトップボックスへ出力する音信号出力手段と、
前記開始手段によって開始された映像信号をセットトップボックスへ出力する映像信号出力手段と、
を備える複数種のカラオケ装置中の何れか１つの機種であり、
前記セットトップボックスは、
楽曲番号データに対応した識別子データをカラオケ装置へ送信するセットトップボックス側送信手段と、
前記音信号出力手段から出力されたカラオケ演奏の音信号を入力するセットトップボックス側入力手段と、
前記映像信号出力手段から出力された映像信号が入力されるセットトップボックス側映像信号入力手段と、
カラオケ曲の楽曲データを記憶する楽曲データ記憶手段と、
前記楽曲データ記憶手段が記憶する前記楽曲データからカラオケ演奏の音信号を生成し、生成された音信号を出力するセットトップボックス側音信号出力手段と、
前記楽曲データ記憶手段が記憶する前記楽曲データから映像信号を生成し、生成された映像信号を出力するセットトップボックス側映像信号出力手段と、
前記セットトップボックス側音信号出力手段から出力された音信号もしくはセットトップボックス側音信号入力手段によって入力された音信号の何れか一方を選択して出力する音信号選択手段と、
前記セットトップボックス側映像信号出力手段から出力された映像信号もしくはセットトップボックス側映像信号入力手段によって入力された映像信号の何れか一方を選択して出力する映像信号選択手段と、
を備えることを特徴とするカラオケシステム。
【請求項５】
請求項４に記載のカラオケシステムに用いられるセットトップボックスであって、請求項４においてセットトップボックスに関して記載した構成を備えることを特徴とするセットトップボックス。
【発明の詳細な説明】
【技術分野】
【０００１】
本発明はカラオケ装置を機能拡張する技術に関し、特に既存のカラオケ装置を最新のカラオケ装置と同等に機能拡張する技術に関する。
【背景技術】
【０００２】
近年のカラオケ装置は、例えば利用者が自己の好みに合った音響効果を設定できる高機能化が進んでいる。また、近年のカラオケ装置は、例えばデュエットでの歌唱採点やゲームの付加など多機能化が進んでいる（例えば、特許文献１参照）。
【０００３】
そして、利用者は、上述のような高機能化や多機能化された近年のカラオケ装置を好んで利用するものと推測される。
【特許文献１】特開２００４−２９４４８１号公報（第２，３頁）
【発明の開示】
【発明が解決しようとする課題】
【０００４】
しかし、カラオケボックスには、上述した高機能化や多機能化された近年のカラオケ装置（以下、最新のカラオケ装置とも称する）ばかりでなく、最新のカラオケ装置以外のカラオケ装置（以下、既存のカラオケ装置とも称する）が多数設置されている。
【０００５】
これらの既存のカラオケ装置は、最新のカラオケ装置に比べると高機能化や多機能化されていないので、最新のカラオケ装置に比べ利用頻度が低下していくと推測される。
利用頻度が低下しないようにするためには、既存のカラオケ装置を最新のカラオケ装置へ入れ替えればよい。しかし、カラオケ装置の入れ替えには、入れ替える手間とコストが掛かる。そのため、カラオケシステムの管理者としては、悩ましい問題になると推測される。
【０００６】
そこで、既存のカラオケ装置を最新のカラオケ装置と同等の高機能化や多機能化にする（以下、機能拡張とも称する）ためのセットトップボックス（以下、ＳＴＢとも称する）を設けることが考えられる。具体的には、ＳＴＢが、機能拡張するための制御部や記憶装置を備え、ＡＤＳＬモデム、インターネットを経由して配信センタと通信できるように構成され、カラオケ装置へ接続される。そして、ＳＴＢがカラオケ装置へリモコン信号を送信してカラオケ装置を制御する。
【０００７】
すなわち、既存のカラオケ装置へ上述したＳＴＢを付加することで、高機能化や多機能化された最新のカラオケ装置と同等に機能拡張することが考えられる。
また、カラオケ歌唱者、特にカラオケ歌唱の熟練者にとっては、自分好みの演奏楽曲や映像（背景映像やビデオクリップなど）を用いたカラオケ装置でカラオケ歌唱したいという要望がある。その理由は、カラオケ装置の製造会社が使用する音源に応じて楽曲の音質や音色が異なり、前記楽曲に対応する背景映像も前記製造会社に応じて異なっているからである。
【０００８】
しかし、複数のカラオケボックスに設置されたカラオケ装置の機種が全て同一の機種とは限らない。カラオケ装置の機種が全て同一の機種でないことの方が多いと推測される。そして、カラオケ装置を利用するたびにカラオケボックスが決められるため、毎回同じカラオケ装置を利用するとは限らない。よって、カラオケ装置を利用するたびに異なるためカラオケ装置を利用することになり、カラオケ歌唱者、特にカラオケ歌唱の熟練者にとっては、自分好みの演奏楽曲や映像（背景映像やビデオクリップなど）を用いたカラオケ歌唱ができないという不満があった。
【０００９】
この課題を解決するために例えばＡ社製造のカラオケ装置へＢ社が使用する音源と背景映像を用いたカラオケ演奏可能なＢ社製造のＳＴＢを付加する。すると、Ａ社製造のカラオケ装置が設置されたカラオケボックスであってもＢ社のカラオケ歌唱を楽しめるようになる。
【００１０】
次に、ＳＴＢは、既存のカラオケ装置へリモコン信号を送信してカラオケ装置を制御するが、ＳＴＢ側からカラオケ装置側へ送信されるリモコン信号コードの体系に対して、受信されるカラオケ装置側のリモコン信号コードの体系が同じとは限らない。すなわち、カラオケ装置の製造メーカや機種によってカラオケ装置側のリモコン信号コードの体系が相違していることが考えられる。
【００１１】
そのため、ＳＴＢ側から入力情報例えば数字「１」に対応するリモコン信号コードがカラオケ装置側へ送信された場合、受信されるカラオケ装置側では数字「１」の入力情報であると認識するとは限らない。
【００１２】
したがって、ＳＴＢから送信されるリモコン信号コードを、カラオケ装置の製造メーカや機種に対応するリモコン信号コードに変換するコード変換手段をＳＴＢが備えるようにすることが考えられる。
【００１３】
そのためには、ＳＴＢに接続可能なカラオケ装置のメーカ名及び機種名を予めＳＴＢが認識しておく必要がある。つまり、カラオケ装置のメーカ名及び機種名をＳＴＢに登録しなくてはならない。
【００１４】
カラオケ装置のメーカ名及び機種名をＳＴＢに登録するためには、サービスマンがＳＴＢに接続されているカラオケ装置のメーカ名及び機種名を目視で確認して、ＳＴＢへ登録することが考えられる。
【００１５】
しかし、ＳＴＢに接続されているカラオケ装置のメーカ名及び機種名の目視での確認と、ＳＴＢへの登録を人手で行なっていたのでは、カラオケ装置のメーカ名及び機種名を誤って登録する場合が考えられる。また、カラオケ装置のメーカ名及び機種名の目視での確認と、ＳＴＢへの登録は、サービスマンにとって手間の掛かる作業と考えられる。
【００１６】
本発明は、上記問題を解決するためになされたものであり、その目的とするところは、セットトップボックスによる機能拡張するためのカラオケ装置のメーカ名及び機種名の確認と、セットトップボックスへの登録を自動化するカラオケシステム等を提供することである。
【課題を解決するための手段】
【００１７】
上述した問題点を解決するためになされた本発明のカラオケシステム（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、外部から受信した楽曲を特定する識別子データに対応した楽曲をカラオケ演奏可能なカラオケ装置（２０）と、カラオケ装置へ前記識別子データを送信し、カラオケ装置から前記識別子データに対応した楽曲のカラオケ演奏の音信号を入力するセットトップボックス（１０）と、を備える。
【００１８】
そして、カラオケ装置は、セットトップボックスから識別子データを受信するカラオケ装置側受信手段（２２０）と、セットトップボックスから前記識別子データを受信するカラオケ装置側受信手段（２２０）と、カラオケ装置側受信手段によって受信された前記識別子データに対応した楽曲のカラオケ演奏を開始する開始手段（２１２）と、開始手段によって開始された楽曲のカラオケ演奏の音信号をセットトップボックスへ出力する音信号出力手段（２２６）と、を備える複数種のカラオケ装置中の何れか１つの機種である。
【００１９】
また、セットトップボックスは、楽曲番号情報を受け付ける受け付け手段（１１８）と、受け付け手段によって受け付けられた楽曲番号データに対応した識別子データをカラオケ装置へ送信するセットトップボックス側送信手段（１４０）と、前記複数種のカラオケ装置の機種ごとにそれぞれ異なる楽曲がカラオケ演奏される特定の識別子データと、前記複数種のカラオケ装置の機種と、前記それぞれ異なる楽曲と、を関連付けて記憶する機種記憶手段（１１６）と、を備える。
【００２０】
さらに、セットトップボックスは、機種記憶手段（１１６）に記憶されている前記それぞれ異なる楽曲に対応する音高データを含む楽曲データを記憶する楽曲データ記憶手段（１１６）と、音信号出力手段から出力されたカラオケ演奏の音信号を入力するセットトップボックス側入力手段（１３０）と、セットトップボックス側入力手段によって入力されたカラオケ演奏の音信号に基づいて音高データを抽出する音高抽出手段（１２５）と、前記カラオケ装置の機種を、受け付け手段によって受け付けられた前記特定の識別子データに対応した楽曲のカラオケ演奏の音高データと楽曲データ記憶手段から読み出された前記それぞれ異なる楽曲の音高データとの音高差をそれぞれ算出し、算出されたそれぞれの音高差を比較して最も音高差が小さい楽曲に対応するカラオケ装置の機種と決定する決定手段（１１２）と、決定手段によって決定された前記カラオケ装置の機種を記憶する記憶手段（１１６）と、記憶手段への前記カラオケ装置の機種の記憶・読み出し制御を実行する記憶・読み出し制御手段（１１２）と、を備える。
【００２１】
上述のように、本発明のカラオケシステムは、セットトップボックスによる機能拡張するためのカラオケ装置のメーカ名及び機種名の確認と、セットトップボックスへの登録を自動化できる。
【００２２】
すなわち、上述の「発明が解決しようとする課題」にて説明したようにセットトップボックス側からカラオケ装置側へ送信されるリモコン信号コードの体系に対して、受信されるカラオケ装置側のリモコン信号コードの体系が同じとは限らない。
【００２３】
したがって、セットトップボックスからカラオケ装置へ送信された識別子データに対応して複数種のカラオケ装置の機種によってカラオケ演奏される楽曲が同じとは限らない。
そこで、敢えて複数種のカラオケ装置の機種ごとにそれぞれ異なる楽曲がカラオケ演奏される特定の識別子データを、予め調査しておく。
【００２４】
そして、この特定の識別子データと、複数種のカラオケ装置の機種と、それぞれ異なる楽曲と、を関連付けて機種記憶手段へ記憶しておく。
そのようにすれば、カラオケ装置が前記特定の識別子データに対応してカラオケ演奏した楽曲によってカラオケ装置の機種を、前記特定の識別子データと前記楽曲とに関連付けて機種記憶手段へ記憶されているカラオケ装置の機種と決定できる。そして、決定されたカラオケ装置の機種を記憶手段へ記憶する。つまり、セットトップボックスによる機能拡張するためのカラオケ装置のメーカ名及び機種名の確認と、セットトップボックスへの登録を自動化できる。
【００２５】
したがって、カラオケ装置のメーカ名及び機種名を誤って登録する場合がなくなる。また、サービスマンにとってカラオケ装置のメーカ名及び機種名の確認と、セットトップボックスへの登録がなくなるので、手間の掛かる作業を省ける。
【００２６】
なお、カラオケシステムは、識別子情報を受け付ける受け付け手段として、請求項２に記載のように、リモコン端末（１５）を備えるとよい。
すなわち、リモコン端末（１５）は、楽曲番号情報を受け付けるリモコン側受け付け手段（１５２）と、リモコン側受け付け手段によって受け付けられた楽曲番号データをセットトップボックスへ送信するリモコン信号送信手段（１５４）と、を備える。また、セットトップボックスは、さらに、リモコン端末から楽曲番号データを受信するリモコン信号受信手段（１２３）を備える。そして、セットトップボックス側送信手段（１４０）は、リモコン信号受信手段によって受信した楽曲番号に対応した識別子データをカラオケ装置へ送信するとよい。
【００２７】
このように構成された本発明のカラオケシステムによれば、携帯可能なリモコン端末によって楽曲番号情報を受け付けできるので、サービスマンにとってセットトップボックスをカラオケ装置へ接続する場合にカラオケ装置の機種を決定する作業が容易となる。つまり、サービスマンはカラオケボックスの中で、セットトップボックスが設置されている場所まで移動せずに、例えばカラオケボックス内の座席に座ったままリモコン端末へ楽曲番号情報を入力すればよい。
【００２８】
また、請求項１または請求項２に記載のカラオケシステムに用いられるセットトップボックスであって、請求項３に記載のように、セットトップボックス単体として構成されるとよい。
【００２９】
すなわち、請求項１または請求項２に記載のカラオケシステムに用いられるセットトップボックスであって、請求項１または請求項２においてセットトップボックスに関して記載した構成を備えるとよい。
【００３０】
このように構成された本発明のセットトップボックスによれば、請求項１または請求項２に記載のカラオケシステムに、このセットトップボックスを付加することで、高機能化や多機能化された最新のカラオケ装置と同等に機能拡張することができるとともに、セットトップボックスによる機能拡張するためのカラオケ装置のメーカ名及び機種名の確認と、セットトップボックスへの登録を自動化できる。
【００３１】
また、請求項４に記載のように、例えばＡ社製造のカラオケ装置が使用する音源もしくはＢ社製造のセットトップボックスが使用する音源の何れか一方を選択できるとよい。さらに例えばＡ社製造のカラオケ装置が使用する背景映像もしくはＢ社製造のセットトップボックスが使用する背景映像の何れか一方を選択できるとよい。
【００３２】
すなわち、カラオケシステムは、外部から受信した楽曲を特定する識別子データに対応した楽曲をカラオケ演奏可能なカラオケ装置（２０）と、カラオケ装置へ前記識別子データを送信し、カラオケ装置から前記識別子データに対応した楽曲のカラオケ演奏の音信号を入力するセットトップボックス（１０）と、を備える。
【００３３】
そして、カラオケ装置は、セットトップボックスから前記識別子データを受信するカラオケ装置側受信手段（２２０）と、カラオケ装置側受信手段によって受信された前記識別子データに対応した楽曲のカラオケ演奏を開始する開始手段（２１２）と、開始手段によって開始された楽曲のカラオケ演奏の音信号をセットトップボックスへ出力する音信号出力手段（２２６）と、開始手段によって開始された映像信号をセットトップボックスへ出力する映像信号出力手段（２３０）と、を備える複数種のカラオケ装置中の何れか１つの機種である。
【００３４】
また、セットトップボックスは、楽曲番号データに対応した識別子データをカラオケ装置へ送信するセットトップボックス側送信手段（１４０）と、音信号出力手段から出力されたカラオケ演奏の音信号を入力するセットトップボックス側入力手段（１３０）と、映像信号出力手段から出力された映像信号が入力されるセットトップボックス側映像信号入力手段（１３６）と、カラオケ曲の楽曲データを記憶する楽曲データ記憶手段（１１６）と、を備える。
【００３５】
さらに、セットトップボックスは、前記楽曲データ記憶手段が記憶する前記楽曲データからカラオケ演奏の音信号を生成し、生成された音信号を出力するセットトップボックス側音信号出力手段（１２６）と、楽曲データ記憶手段が記憶する前記楽曲データから映像信号を生成し、生成された映像信号を出力するセットトップボックス側映像信号出力手段（１３２）と、セットトップボックス側音信号出力手段から出力された音信号もしくはセットトップボックス側音信号入力手段によって入力された音信号の何れか一方を選択して出力する音信号選択手段（１２８）と、セットトップボックス側映像信号出力手段から出力された映像信号もしくはセットトップボックス側映像信号入力手段によって入力された映像信号の何れか一方を選択して出力する映像信号選択手段（１３４）と、を備えるとよい。
【００３６】
このように構成された本発明のカラオケシステムによれば、例えばＡ社製造のカラオケ装置が使用する音源もしくはＢ社製造のセットトップボックスが使用する音源の何れか一方を選択できる。さらに例えばＡ社製造のカラオケ装置が使用する背景映像もしくはＢ社製造のセットトップボックスが使用する背景映像の何れか一方を選択できる。したがって、カラオケ歌唱者、特にカラオケ歌唱の熟練者にとっては、自分好みの音源をや映像を用いてカラオケ歌唱を楽しむことができる。
【００３７】
また、請求項５に記載のように、例えばＡ社製造のカラオケ装置へＢ社が使用する音源と背景映像を用いたカラオケ演奏可能なＢ社製造のセットトップボックスを付加できるように、セットトップボックス単体として構成されるとよい。
【００３８】
すなわち、請求項４のいずれかに記載のカラオケシステムに用いられるセットトップボックスであって、請求項４においてセットトップボックスに関して記載した構成を備えるとよい。
【００３９】
このように構成された本発明のセットトップボックスによれば、例えばＡ社製造のカラオケ装置へＢ社が使用する音源と背景映像を用いたカラオケ演奏可能なＢ社製造のセットトップボックスを付加することで、Ａ社製造のカラオケ装置が設置されたカラオケボックスであってもＢ社のカラオケ歌唱を楽しめるようになる。
【発明を実施するための最良の形態】
【００４０】
以下に本発明の実施形態を図面とともに説明する。
図１は、本実施例のカラオケシステム１の構成及び稼働時の周辺機器の構成を示すブロック図である。
【００４１】
［カラオケシステム１の構成及び周辺機器の構成の説明］
複数のカラオケシステム１とそれら複数のカラオケシステム１を管理するローカルサーバ２とは、図１に示すように、カラオケボックス内ＬＡＮ３へ接続されている。また、カラオケボックス内ＬＡＮ３はＬＡＮハブ装置４へ接続されている。そして、複数のカラオケシステム１とローカルサーバ２とは、このＬＡＮハブ装置４、ブロードバンドルータ５、ＡＤＳＬモデム６及び高速通信回線７を介して中央サーバ８との通信ができるように構成されている。
【００４２】
［カラオケシステム１の構成の説明］
カラオケシステム１は、図１に示すように、カラオケボックス内ＬＡＮ３へ接続されているセットトップボックス１０、このセットトップボックス１０へ接続されているカラオケ装置２０とオーディオアンプ３０とモニタ５０、このオーディオアンプ３０へ接続されている２つのスピーカ４０、セットトップボックス１０へ赤外線信号（以下、第１リモコン信号とも称する）を送信するリモコン端末１５などを備えている。
【００４３】
なお、カラオケ装置２０は複数種のカラオケ装置中の１つの機種である。複数種のカラオケ装置とは、カラオケ装置の製造メーカや機種によってカラオケ装置側のリモコン信号コードの体系がそれぞれ相違しているカラオケ装置を指す。
【００４４】
以下カラオケ装置２０、セットトップボックス１０及びリモコン端末１５の構成を、順に説明する。
［カラオケ装置２０の構成の説明］
カラオケ装置２０は、図２に示すように、セットトップボックス１０から、もしくはリモコン端末１５より第１リモコン信号を受信したセットトップボックス１０から有線にて送信されたリモコン信号（以下、第２リモコン信号とも称する）を受信するリモコン信号受信部２２０、リモコン信号受信部２２０によって受信された第２リモコン信号に基づいてカラオケ演奏を制御するカラオケ制御部２１２、図示されないハードディスクに記憶された識別子データ例えば選曲番号データを有する楽曲データから演奏楽曲の音信号（音響，音声に関する信号）を生成し、生成された音信号を出力するカラオケ音声出力部２２６、前記楽曲データから映像信号を生成し、生成された映像信号を出力するカラオケ映像出力部２３０などを備えている。なお、上記では、リモコン信号受信部２２０はセットトップボックス１０から有線にて第２リモコン信号を受信したが、これには限らない。リモコン信号受信部２２０はセットトップボックス１０から赤外線通信のような無線にて第２リモコン信号を受信してもよい。また、カラオケ制御部２１２は、後述する［カラオケ制御部２１２の決定処理］を実行する。
【００４５】
なお、本実施形態においては、リモコン信号受信部２２０が「カラオケ装置側受信手段」に相当し、カラオケ制御部２１２が「開始手段」に相当し、カラオケ音声出力部２２６が「音信号出力手段」に相当する。
【００４６】
［セットトップボックス１０の構成の説明］
セットトップボックス１０は、図２に示すように、セットトップボックス１０全体の動作を制御する制御部１１２、セットトップボックス１０をカラオケボックス内ＬＡＮ３へ接続するためのＬＡＮインタフェース部１１４、演奏楽曲の伴奏内容および歌詞を示す楽曲データや映像データなどを記憶するハードディスク（ＨＤＤ）１１６、複数のキー・スイッチからなる操作部１１８、リモコン端末１５からの第１リモコン信号を赤外線通信によって受信するための赤外リモコン信号受信部１２３、操作部１１８からの信号を処理する操作処理部１２２、ハードディスク１１６に記憶された楽曲データから演奏楽曲の音信号（音響，音声に関する信号）を生成し、生成された音信号を出力する音声出力部１２６、カラオケ装置２０から出力された音信号を入力する音声信号入力部１３０、音声出力部１２６から出力された音信号もしくは音声信号入力部１３０を介して入力された音信号の何れか一方を選択しオーディオアンプ３０へ出力するセレクタ１２８、音声信号入力部１３０を介して入力された音信号を入力し、ディジタル化された音信号を出力するＡ／Ｄコンバータ１２４、Ａ／Ｄコンバータ１２４によってディジタル化された音信号から音高データ例えば最大音量レベルの周波数を検出するピッチ検出部１２５、ハードディスク１１６に記憶された楽曲データから映像信号を生成し、生成された映像信号を出力する映像出力部１３２、カラオケ装置２０から出力された映像信号を入力する映像信号入力部１３６、映像出力部１３２から出力された映像信号もしくは映像信号入力部１３６によって入力された映像信号の何れか一方を選択しモニタ５０へ出力するセレクタ１３４、第２リモコン信号をセットトップボックス１０からカラオケ装置２０へ有線にて送信するリモコン信号送信部１４０などを備えている。なお、リモコン信号送信部１４０はセットトップボックス１０からカラオケ装置２０へ有線にて第２リモコン信号を送信したが、これには限らない。リモコン信号送信部１４０はセットトップボックス１０からカラオケ装置２０へ赤外線通信のような無線にて第２リモコン信号を送信してもよい。また、制御部１１２は、後述する［制御部１１２の決定処理］を実行する。
【００４７】
このうち、ＨＤＤ１１６には、図３（ａ）に例示するように、関連データのメモリ領域６０、機種データのメモリ領域６２、楽曲データのメモリ領域６４ａ〜６４ｎ及び音高データのメモリ領域６６が設けられている。以下、順に説明する。
【００４８】
（イ）関連データ
関連データとは、図３（ｂ）、図３（ｃ）に例示するように、複数種のカラオケ装置２０の機種ごとにそれぞれ異なる楽曲がカラオケ演奏される選曲番号データと、複数種のカラオケ装置２０の機種を示すデータと、前記それぞれ異なる楽曲を示すデータとが関連付けられたデータを指す。
【００４９】
ここで、複数種のカラオケ装置２０の機種ごとにそれぞれ異なる楽曲がカラオケ演奏される選曲番号データについて説明する。
セットトップボックス１０からカラオケ装置２０へ送信された選曲番号データに基づいてカラオケ装置２０の機種ごとにカラオケ演奏される複数種の楽曲（ａ〜ｎ）を、図３（ｂ）に例示するように、複数種のカラオケ装置２０の機種（Ａ）〜（Ｎ）ごとに予め調査しておく。例えばカラオケ装置２０の機種（Ａ）がカラオケ演奏する楽曲（ａ）と、カラオケ装置２０の機種（Ｂ）がカラオケ演奏する楽曲（ｂ）と、カラオケ装置２０の機種（Ｎ）がカラオケ演奏する楽曲（ｃ）とを予め調査しておく。このように、複数種のカラオケ装置２０の機種（Ａ）〜（Ｎ）の全ての機種において、カラオケ演奏されるそれぞれ異なる複数種の楽曲を予め調査しておく。
【００５０】
そして、関連データは、図３（ｂ）、図３（ｃ）に例示するように、選曲番号（１）の数値「１」と楽曲（ａ〜ｎ）とカラオケ装置２０の機種（Ａ〜Ｎ）とが関連付けられて関連データのメモリ領域６０（ｎ）へ記憶されている。一例を挙げると、楽曲（ａ）に対応する関連データは、選曲番号（１）の数値「１」と楽曲（ａ）とカラオケ装置２０の機種（Ａ）とが関連付けられて関連データのメモリ領域６０（１）へ記憶されている。
【００５１】
（ロ）機種データ
機種データとは、後述する［制御部１１２の決定処理］によって決定されたカラオケ装置２０の機種を示すデータを指す。
【００５２】
そして、カラオケ装置の機種（Ａ〜Ｎ）を示す機種データは、図３（ａ）、図３（ｄ）に例示するように、機種データのメモリ領域６２へ制御部１１２によって記憶される。一例を挙げると、カラオケ装置の機種（Ａ）を示すデータは、機種データのメモリ領域６２へ制御部１１２によって記憶される。
【００５３】
（ハ）楽曲データ
楽曲データとは、楽曲の音高データを含むデータを指す。この楽曲とは、カラオケ装置２０の機種ごとにそれぞれ異なる楽曲中の１つの楽曲を指す。つまり、それぞれ異なる楽曲に対応する音高データを含む楽曲データがある。
【００５４】
そして、それぞれ異なる楽曲データ中の１つの楽曲データは、図４（ａ）、図４（ｂ）に例示するように、選曲番号（１）の数値「１」と時刻（Ｔ１〜Ｔｎ）と音高データ（Ａ１〜Ａｎ）とが関連付けられて楽曲データのメモリ領域６４ａ（１）〜６４ａ（ｎ）へ記憶されている。一例を挙げると、時刻（Ｔ１）に対応する楽曲データは、選曲番号（１）の数値「１」と時刻（Ｔ１）と音高データ（Ａ１）とが関連付けられて楽曲データのメモリ領域６４ａ（１）へ記憶されている。そして、カラオケ装置２０の機種ごとにそれぞれ異なる楽曲データがそれぞれ楽曲データのメモリ領域６４ａ（ｎ）〜６４ｎ（ｎ）へ記憶されている。
【００５５】
（ニ）音高データ
音高データとは、後述する［ピッチ検出手法］によって抽出された周波数のデータを指す。
【００５６】
そして、音高データは、図４（ｃ）、図４（ｄ）に例示するように、選曲番号（１）の数値「１」と時刻（Ｔ１〜Ｔｎ）と音高データ（Ｘ１〜Ｘｎ）とが関連付けられて制御部１１２によって音高データのメモリ領域６６（ｎ）へ記憶される。一例を挙げると、時刻（Ｔ１）に対応する音高データは、選曲番号（１）の数値「１」と時刻（Ｔ１）と音高データ（Ｘ１）とが関連付けられて制御部１１２によって音高データのメモリ領域６６（１）へ記憶される。
【００５７】
［ピッチ検出手法の説明］
以下に、ピッチ検出部１２５がＡ／Ｄコンバータ１２４によってディジタル化された音信号から音高データ例えば最大音量レベルの周波数を検出する手法について説明する。
【００５８】
ピッチ検出部１２５は、図５に例示するように、単位時間（例えば１秒）ごとに入力した音信号から周波数に対応した音量レベルを検出する。図５は、検出された周波数と音量レベルと時間とを３次元で示す説明図である。例えば「Ｔ１」で示す時刻における周波数に対応した音量レベルの曲線は、「Ｔ１」時刻までの単位時間（例えば１秒）に入力した音信号から検出された周波数に対応した音量レベルを示す。「Ｔ２」で示す時刻における周波数に対応した音量レベルの曲線も、「Ｔ２」時刻までの単位時間（例えば１秒）に入力した音信号から検出された周波数に対応した音量レベルを示す。「Ｔ３」及び「Ｔｎ」で示す時刻における周波数に対応した音量レベルの曲線も、同様に検出された周波数に対応した音量レベルを示す。
【００５９】
そして、ピッチ検出部１２５は、検出された時刻ごとに周波数に対応した音量レベルから最大の音量レベルを検出した周波数を抽出する。例えば、「Ｔ１」で示す時刻における周波数に対応した音量レベルから最大の音量レベルを検出した周波数として「Ｘ１」を抽出する。「Ｔ２」で示す時刻における周波数に対応した音量レベルからも最大の音量レベルを検出した周波数として「Ｘ２」を抽出する。「Ｔ３」〜「Ｔｎ」で示す時刻における周波数に対応した音量レベルからも最大の音量レベルを検出した周波数としてそれぞれ「Ｘ３」〜「Ｘｎ」を抽出する。そして、この抽出された周波数「Ｘ１」〜「Ｘｎ」は、音高データ（Ｘ１〜Ｘｎ）として、上述の「（ニ）音高データ」にて説明したように制御部１１２によって音高データのメモリ領域６６（ｎ）へ記憶される。
【００６０】
なお、本実施形態においては、操作部１１８が「受け付け手段」に相当し、リモコン信号送信部１４０が「セットトップボックス側送信手段」に相当し、ＨＤＤ１１６が「機種記憶手段」、「楽曲データ記憶手段」及び「記憶手段」に相当し、音声信号入力部１３０が「セットトップボックス側入力手段」に相当する。また、ピッチ検出部１２５が「音高抽出手段」に相当し、制御部１１２が「決定手段」及び「記憶・読み出し制御手段」に相当し、赤外リモコン信号受信部１２３が「リモコン信号受信手段」に相当する。
【００６１】
［リモコン端末１５の構成の説明］
リモコン端末１５は、複数のキー・スイッチからなるリモコン操作部１５２、リモコン端末１５から第１リモコン信号をセットトップボックス１０へ送信する赤外リモコン信号送信部１５４などを備えている。
【００６２】
なお、リモコン操作部１５２が「リモコン側受け付け手段」に相当し、赤外リモコン信号送信部１５４が「リモコン信号送信手段」に相当する。
［制御部１１２の決定処理の説明］
以下に、セットトップボックス１０が備える制御部１１２が実行する「決定処理」の手順を図６、図７のフローチャートに基づいて説明する。
【００６３】
操作部１１８によって受け付けられた選曲番号データは、操作処理部１２２によって制御部１１２へ送信されるのであるが、制御部１１２は、操作処理部１２２から選曲番号データを受信したか否かを判断する（Ｓ１１０）。そして、操作処理部１２２から送信された選曲番号データを受信すると（Ｓ１１０：ＹＥＳ）、その選曲番号データをカラオケ装置２０へ送信する（Ｓ１１２）。そして、Ｓ１１２の処理が終了したら、Ｓ１１４の処理を行なう。なお、上述したＳ１１０の処理においては、選曲番号はセットトップボックス１０が備える操作部１１８によって受け付けられたが、これには限らない。リモコン端末１５が備えるリモコン操作部１５２によって選曲番号を受け付けて、受け付けられた選曲番号データを赤外リモコン信号送信部１５４がセットトップボックス１０へ赤外線通信によって送信してもよい。そして、制御部１１２は、赤外リモコン信号受信部１２３を介してリモコン端末１５から選曲番号データを受信したか否かを判断してもよい。
【００６４】
さて、音信号は、カラオケ装置２０からセットトップボックス１０へ出力される（この出力処理については後述する）のであるが、制御部１１２は、音声信号入力部１３０を介してカラオケ装置２０から音信号を入力したか否かを判断する（Ｓ１１４）。そして、カラオケ装置２０から出力された音信号を入力すると（Ｓ１１４：ＹＥＳ）、音信号から音高データを抽出する（Ｓ１１６）。具体的には、上述した［ピッチ検出手法］に基づいてピッチ検出部１２４によって検出された時刻ごとに周波数に対応した音量レベルから最大の音量レベルを検出した周波数を抽出させる。Ｓ１１６の処理が終了したらＳ１１８の処理を実行する。
【００６５】
Ｓ１１８の処理においては、音信号から抽出された音高データを記憶する。具体的には、図４（ｃ）、図４（ｄ）に例示するように、上述した［ピッチ検出手法］に基づいて抽出された周波数を音高データとしてＨＤＤ１１６に設けられている音高データのメモリ領域６６へ記憶する。Ｓ１１８の処理が終了したらＳ１２０の処理を実行する。
【００６６】
Ｓ１２０の処理においては、音信号から抽出された音高データと楽曲データのメモリ領域６４ａ〜６４ｎへ記憶されているそれぞれ異なる楽曲データの音高データとの音高差をそれぞれ算出する。具体的には、ＨＤＤ１１６に設けられている音高データのメモリ領域６６へ記憶された音高データを読み出し、さらに、ＨＤＤ１１６に設けられている楽曲データのメモリ領域６４ａ〜６４ｎへ記憶されているそれぞれ異なる楽曲データを読み出す。そして、それぞれの時刻に対応する音高データから音高差を算出する。
【００６７】
例えば、図４（ｃ）、図４（ｄ）に例示する音高データのメモリ領域６６へ記憶された音信号から抽出された音高データを読み出し、図４（ａ）、図４（ｂ）に例示するそれぞれ異なる楽曲データ中の１つの楽曲データのメモリ領域６４ａ（ｎ）〜６４ａ（ｎ）へ記憶されている音高データを読み出す。そして、図４（ｃ）、図４（ｄ）に例示する時刻「Ｔ１」に対応する音高データ「Ｘ１」と、図４（ａ）、図４（ｂ）に例示す時刻「Ｔ１」に対応する音高データ「Ａ１」とから時刻「Ｔ１」における音高差を算出する。また、時刻「Ｔ２」〜「Ｔｎ」におけるそれぞれの音高データからそれぞれ音高差を算出する。すると、それぞれ異なる楽曲データ中の１つの楽曲データについては、時刻「Ｔ１」〜「Ｔｎ」における音高差の算出が終了する。
【００６８】
そして、それぞれ異なる楽曲データ中の他の楽曲データについても、メモリ領域６４ｂ〜６４ｎへ記憶されているそれぞれの音高データを読み出し、時刻「Ｔ１」〜「Ｔｎ」における音高差を算出する。すると、それぞれ異なる楽曲データについて、時刻「Ｔ１」〜「Ｔｎ」における音高差の算出が終了する。Ｓ１２０の処理が終了したらＳ１２２（図７参照）の処理を実行する。
【００６９】
Ｓ１２２の処理においては、算出されたそれぞれの音高差を比較して最も音高差が小さい楽曲に基づいて関連データからカラオケ装置２０の機種を決定する。具体的には、カラオケ装置２０の機種を、ＨＤＤ１１６に設けられている関連データのメモリ領域６０に記憶されている選曲番号データとカラオケ装置２０の機種を示すデータとそれぞれ異なる楽曲を示すデータとの関連データから音高差が最も小さい楽曲に対応するカラオケ装置２０の機種と決定する。例えば、図３（ｂ）に例示するように、音高差が最も小さい楽曲が「ａ」の場合には、楽曲が「ａ」に対応するカラオケ装置２０の機種は機種（Ａ）であることから、カラオケ装置２０の機種を機種（Ａ）と決定する。
【００７０】
次に、Ｓ１２４の処理において決定されたカラオケ装置２０の機種をＨＤＤ１１６に設けられている機種データのメモリ領域６２へ記憶する。例えば、図３（ｄ）に例示するように、カラオケ装置の機種（Ａ）を示すデータを機種データのメモリ領域６２へ記憶する。
【００７１】
そして、Ｓ１２４の処理が終了したら、本「制御部１１２の決定処理」は終了する。
［カラオケ制御部２１２の決定処理の説明］
次に、カラオケ装置２０が備えるカラオケ制御部２１２が実行する［決定処理］の手順を図８のフローチャートに基づいて説明する。
【００７２】
選曲番号データは、上述したようにセットトップボックス１０からカラオケ装置２０へ送信されるのであるが、カラオケ制御部２１２は、リモコン信号受信部２２０を介してセットトップボックス１０から選曲番号データを受信したか否かを判断する（Ｓ２１０）。そして、セットトップボックス１０から送信された選曲番号データを受信すると（Ｓ２１０：ＹＥＳ）、受信した選曲番号データに基づいてカラオケ演奏を開始する（Ｓ２２０）。具体的には、カラオケ制御部２１２がカラオケ音声出力部２２６を制御して、カラオケ演奏を開始させる。
【００７３】
そして、開始されたカラオケ演奏の音信号をセットトップボックス１０へ出力する（Ｓ２３０）。具体的には、カラオケ制御部２１２がカラオケ音声出力部２２６を制御して、図示されないハードディスクに記憶された選曲番号データを有する楽曲データから受信した選曲番号データの対応する楽曲データを抽出し、抽出された楽曲データから演奏楽曲の音信号（音響，音声に関する信号）を生成し、生成された音信号をセットトップボックス１０へ出力させる。
【００７４】
そして、Ｓ２３０の処理が終了したら、本「カラオケ制御部２１２の決定処理」は終了する。
［効果の説明］
従来のカラオケシステムにおいては、次のような問題があった。すなわち、既存のカラオケ装置をセットトップボックスによって機能拡張するためには、サービスマンがセットトップボックスに接続されているカラオケ装置のメーカ名及び機種名を目視で確認して、セットトップボックスへ登録するという手間の掛かる作業が必要になると想定された。また、人手で行なっていたのでは、カラオケ装置のメーカ名及び機種名を誤って登録する場合が想定された。
【００７５】
それに対して本実施形態のカラオケシステム１によれば、セットトップボックス１０による機能拡張するためのカラオケ装置２０のメーカ名及び機種名の確認と、セットトップボックス１０への登録を自動化できる。すなわち、複数種のカラオケ装置２０の機種ごとにそれぞれ異なる楽曲がカラオケ演奏される特定の選曲番号データと、複数種のカラオケ装置２０の機種と、それぞれ異なる楽曲と、を関連付けてＨＤＤ１１６へ記憶しておく。そして、カラオケ装置２０が前記特定の選曲番号データに対応してカラオケ演奏した楽曲によってカラオケ装置２０の機種を、前記特定の選曲番号子データと前記楽曲とに関連付けてＨＤＤ１１６へ記憶されているカラオケ装置２０の機種と決定する。
【００７６】
そして、決定されたカラオケ装置２０の機種をＨＤＤ１１６へ記憶する。したがって、カラオケ装置２０のメーカ名及び機種名を誤って登録する場合がなくなる。また、サービスマンにとってカラオケ装置２０のメーカ名及び機種名の確認と、セットトップボックス１０への登録がなくなるので、手間の掛かる作業を省ける。
【００７７】
［他の実施形態］
上記実施形態では、サービスマンが例えば操作取扱書などを参照しながら選曲番号を操作部１１８へ入力することになるが、これには限らない。制御部１１２がＨＤＤ１１６に設けられた関連データのメモリ領域６０に記憶された楽曲の選曲番号を読み出して、モニタ５０を制御して読み出した楽曲の選曲番号をモニタ５０へ表示させてもよい。
【００７８】
このように構成された実施形態においては、サービスマンが操作取扱書を持参するのを忘れた場合であっても、モニタ５０へ表示された選曲番号を見ながら選曲番号を操作部１１８へ入力することができる。
【図面の簡単な説明】
【００７９】
【図１】カラオケシステム１の構成及び稼働時の周辺機器の構成を示すブロック図である。
【図２】カラオケシステム１の全体構成を示すブロック図である。
【図３】セットトップボックス１０が備えるＨＤＤ１１６に設けられたメモリ領域の一部を示す説明図である。
【図４】セットトップボックス１０が備えるＨＤＤ１１６に設けられたメモリ領域の一部を示す説明図である。
【図５】ピッチ検出部１２５によって検出された周波数と音量レベルと時間とを３次元で示す説明図である。
【図６】セットトップボックス１０が備える制御部１１２が実行する「決定処理」の手順の一部を示すフローチャートである。
【図７】セットトップボックス１０が備える制御部１１２が実行する「決定処理」の手順の一部を示すフローチャートである。
【図８】カラオケ装置２０が備えるカラオケ制御部２１２が実行する「決定処理」の手順を示すフローチャートである。
【符号の説明】
【００８０】
１…カラオケシステム、２…ローカルサーバ、３…カラオケボックス内ＬＡＮ、４…ＬＡＮハブ装置、５…ブロードバンドルータ、６…ＡＤＳＬモデム、７…高速通信回線、８…中央サーバ、１０…セットトップボックス、１５…リモコン端末、２０…カラオケ装置、３０…オーディオアンプ、４０…スピーカ、５０…モニタ、６０…関連データのメモリ領域、６２…機種データのメモリ領域、６４ａ〜６４ｎ…楽曲データのメモリ領域、６６…音高データのメモリ領域、１１２…制御部、１１４…ＬＡＮインタフェース部、１１６…ハードディスク（ＨＤＤ）、１１８…操作部、１２２…操作処理部、１２３…赤外リモコン信号受信部、１２４…Ａ／Ｄコンバータ、１２５…ピッチ検出部、１２６…音声出力部、１２８…セレクタ、１３０…音声信号入力部、１３２…映像出力部、１３４…セレクタ、１３６…映像信号入力部、１４０…リモコン信号送信部、１５２リモコン操作部、１５４…赤外リモコン信号送信部、２１２…カラオケ制御部、２２０…リモコン信号受信部、２２６…カラオケ音声出力部、２３０…カラオケ映像出力部。
【図２】
2007171646.tif 000003
【図３】
2007171646.tif 000004
【図４】
2007171646.tif 000005
【図５】
2007171646.tif 000006
【図６】
2007171646.tif 000007
【図７】
2007171646.tif 000008
【図８】
2007171646.tif 000009
【図１】
2007171646.tif 000010